(57)【要約】【課題】収録地点において中継車を使用すること、収録拠点にスイッチャ、操作卓、映像蓄積装置、モニタ、分配装置、ファーマット変換装置などの装置を設置する必要のない映像配信方法を提供する。【解決手段】収録拠点に設置された複数のビデオカメラの映像信号と、中継地点に設置された映像蓄積装置の映像信号とを任意に切り換えて視聴者に配信する映像配信方法であって、収録拠点で複数のビデオカメラの映像信号を中継回線用の通信規格に応じた信号に変換した後、中継回線を介して中継地点に転送し、中継地点で前記中継回線用の通信規格に応じた信号を任意のビデオカメラの映像信号に逆変換し、前記ビデオカメラの映像信号と、前記映像蓄積装置に蓄積された映像信号とをスイッチャに任意に切り換え、前記切り換えられた映像信号のフォーマットを変換して視聴者に対して配信する。【選択図】　　　　図１
2004023119.tif 000002
【特許請求の範囲】
【請求項１】
収録拠点に設置された複数のビデオカメラの映像信号と、中継地点に設置された映像蓄積装置の映像信号とを任意に切り換えて視聴者に配信する映像配信方法であって、
収録拠点において、前記複数のビデオカメラの映像信号を中継回線用の通信規格に応じた信号に変換し、
前記中継回線用の通信規格に応じた信号を、中継回線を介して中継地点に転送し、
前記中継地点おいて、前記中継回線を介して転送されてきた前記中継回線用の通信規格に応じた信号を、任意のビデオカメラの映像信号に逆変換し、
前記逆変換された前記複数のビデオカメラの映像信号と、前記映像蓄積装置に蓄積された映像信号とを、映像切り換え用のスイッチャにより任意に切り換え、
前記スイッチャによって切り換えられた映像信号のフォーマットを変換し、
前記フォーマットが変換された映像信号を視聴者に対して配信することにより、前記収録拠点の複数のビデオカメラの映像と前記中継地点に設置された映像蓄積装置の映像とを任意に切り換えて視聴者に対して配信することを特徴とする映像配信方法。
【請求項２】
前記中継回線として光ファイバを使用し、
前記収録拠点において、前記ビデオカメラの映像信号を光信号に変換し、
前記中継地点において、前記光ファイバを介して転送されてきた光信号を、任意のビデオカメラの映像信号に逆変換することを特徴とする請求項１に記載の映像配信方法。
【請求項３】
前記中継回線として光ファイバを使用し、
前記収録拠点において、前記ビデオカメラの映像信号を光信号に変換した後、当該光信号に変換された映像信号を前記光ファイバに多重化し、
前記中継地点において、前記光ファイバを介して転送されてきた多重化された光信号を分割した後、分割した光信号を、任意のビデオカメラの映像信号に逆変換することを特徴とする請求項１に記載の映像配信方法。
【請求項４】
前記中継回線用の通信規格として、ＡＴＭプロトコル、イーサネットプロトコル、ファイバチャネルプロトコル、あるいは、インタネットプロトコルを用いることを特徴とする請求項１に記載の映像配信方法。
【請求項５】
前記映像信号のフォーマットとして、ＭＰＥＧ２圧縮方法、ＭＰＥＧ１圧縮方法、ＭＰＥＧ４圧縮方法、Ｗｉｎｄｏｗｓ　Ｍｅｄｉａ圧縮方法、Ｒｅａｌ　Ｖｉｄｅｏ圧縮方法、あるいは、Ｑｕｉｃｋ　Ｔｉｍｅ圧縮方法を使用することを特徴とする請求項１ないし請求項７のいずれか１項に記載の映像配信方法。
【請求項６】
収録拠点に設置された複数のビデオカメラの映像信号と、中継地点に設置された映像蓄積装置の映像信号とを任意に切り換えて視聴者に配信する映像配信システムであって、
前記収録拠点に設置され、前記複数のビデオカメラの映像信号を中継回線用の通信規格に応じた信号に変換する第１の手段と、
前記中継回線用の信号規格に応じた信号を前記中継地点に転送する中継回線と、
前記中継地点に設置され、前記中継回線を介して転送されてきた前記中継回線用の信号規格に応じた信号を、任意のビデオカメラの映像信号に逆変換する第２の手段と、
前記逆変換された前記ビデオカメラの映像信号と、前記映像蓄積装置の映像信号とを切り換える映像切り換え用のスイッチャと、
前記スイッチャによって切り換えられた映像信号のフォーマットを変換する第３の手段と、
前記フォーマットが変換された映像信号を視聴者に対して配信させる第４の手段と備えることを特徴とする映像配信システム。
【請求項７】
前記中継回線は、光ファイバであり、
前記第１の手段は、前記ビデオカメラの映像信号を光信号に変換し、
前記第２の手段は、前記光ファイバを介して転送されてきた光信号を、任意のビデオカメラの映像信号に逆変換することを特徴とする請求項６に記載の像配信システム。
【請求項８】
前記中継回線は、光ファイバであり、
前記第１の手段は、前記ビデオカメラの映像信号を光信号に変換した後、当該光信号に変換された映像信号を前記光ファイバに多重化し、
前記第２の手段は、前記光ファイバを介して転送されてきた多重化された光信号を分割した後、分割した光信号を、任意のビデオカメラの映像信号に逆変換することを特徴とする請求項６に記載の映像配信システム。
【請求項９】
前記中継回線は、ＡＴＭネットワーク、イーサネットネットワーク、ファイバチャネルネットワーク、あるいは、ＩＰネットワークであることを特徴とする請求項６に記載の映像配信システム。
【請求項１０】
前記第３の手段は、ＭＰＥＧ２圧縮装置、ＭＰＥＧ１圧縮装置、ＭＰＥＧ４圧縮装置、Ｗｉｎｄｏｗｓ　Ｍｅｄｉａ圧縮装置、Ｒｅａｌ　Ｖｉｄｅｏ圧縮装置、あるいは、Ｑｕｉｃｋ　Ｔｉｍｅ圧縮装置であることを特徴とする請求項６ないし請求項９のいずれか１項に記載の映像配信システム。
【発明の詳細な説明】
【０００１】
【発明の属する技術分野】
本発明は、映像配信方法および映像配信システムに係わり、特に、収録拠点の映像と中継地点に蓄積された映像を任意に切り換えて、視聴者に対して映像を配信させる映像配信方法および映像配信システムに関する。
【０００２】
【従来の技術】
以下に、従来技術における収録拠点の映像と中継地点に蓄積された映像を任意に切り換えて視聴者に対して映像を配信させるシステムについて説明する。
ＴＶ放送において、収録拠点に設置されたビデオカメラの映像信号を中継地点まで送信させる場合は、マイクロ回線並びに衛星回線が利用される。尚、ＴＶ中継回線は、中継地点（放送局）間の映像信号伝送に使用され、収録拠点と中継地点問の映像信号伝送には使用されない。
収録拠点から中継地点まで送信されてきた映像信号は、放送用地上波、放送用衛星波、ケーブルＴＶ網を用いて視聴者に配信される。
図２は、従来の映像配信システムの一例を示す槻念図であり、従来技術のＴＶ放送における、マイクロ回線および衛星回線を用いて、収録拠点の映像と中継地点に蓄積された映像を任意に切り換えて、視聴者に対して映像を配信するシステムを示す槻念図である。
図２において、２０１は収録拠点、２０２〜２０４はビデオカメラ、２０５は中継車、２０６および２０８はＦＰＵ（Ｆｉｅｌｄ　Ｐｉｃｋ　Ｕｐ）装置、２０７は中継地点、２１０は分配スイッチャ、２１１はスタジオ、２１２は映像蓄積装置、２１３はマスタスイッチャ、２１４は番組送出スイッチャ、２１５は送信所、２１６は放送用装置、２１７は海外支局、２１８は衛星基地局である。
【０００３】
図２に示すシステムでは、収録拠点２０１に設置されたビデオカメラ（２０２〜２０４）から出力される複数の映像信号（以下、単に、映像という。）は、中継車２０５において、１つの映像に切り換えられて、ＦＰＵ装置２０６から中継地点２０７のＦＰＵ装置に転送され、分配スイッチャ２１０に入力される。
海外支局２１７からの映像は、海外支局２１７の衛星基地局装置２１８から中継地点２０７の衛星基地局装置２０９を介して分配スイッチャ２１０に入力される。
分配スイッチャ２１０は、当該入力された各映像（収録拠点２０１の中継車２０５で切り換えられた映像、および、海外支局２１７から転送されてきた映像）を切り換えて、マスタスイッチャ２１３に入力する。
スタジオ２１１からの映像、並びに中継地点に設置された映像蓄積装置２１２から出力される映像は、マスタスイッチャ２１３に入力される。
マスタスイッチャ２１３は、当該入力された各映像（分配スイッチャからの映像、スタジオ２１１の映像、および映像蓄積装置２１２の映像）を切り換えて、番組送出用スイッチャ２１４に入力する。
番組送出用スイッチャ２１４に入力された映像は、送信所２１５に転送され、放送用装置２１６を介して視聴者に配信される。
【０００４】
インタネット放送では、収録拠点に設置されたＭＰＥＧ２圧縮、ＭＰＥＧ１圧縮、ＭＰＥＧ４圧縮、Ｗｉｎｄｏｗｓ　Ｍｅｄｉａ圧縮、Ｒｅａｌ　Ｖｉｄｅｏ圧縮、Ｑｕｉｃｋ　Ｔｉｍｅ圧縮等のフォーマット変換機能を用いて、配信に用いられるブロードバンドネットワーク、ｘＤＳＬ回線、電話回線、ＩＳＤＮ回線、携帯電話、ＰＨＳ等の伝送速度に応じた映像のフォーマットに変換されて視聴者に配信される。
図３は、従来の映像配信システムの他の例を示す槻念図であり、従来技術のインタネット放送において、フォーマット変換機能を用いて、収録拠点に設置された複数のビデオカメラ映像と、収録地点に設置された映像蓄積装置の映像を任意に切り換えて、視聴者に対して映像を配信するシステムを示す概念図である。
図３において、３０１〜３０３はビデオカメラ、３０４は映像蓄積装置、３０５はスイッチャ、３０６〜３０９はモニタ、３１１は操作卓、３１０は分配装置、３１２〜３１４はフォーマット変換装置である。
図３に示すシステムでは、ビデオカメラ（３０１〜３０３）の映像と、映像蓄積装置３０４の映像は、スイッチャ３０５に入力され、モニタ（３０６〜３０９）で映像を確認しながら操作卓３１１によって切り換えられ、分配装置３１０に入力される。
分配装置３１０は、当該入力された映像を、フォーマット変換装置（３１２〜３１４）に分配し、フォーマット変換装置（３１２〜３１４）は、当該分配された映像の映像のフォーマットを変換して視聴者に配信する。
【０００５】
図４は、従来の映像配信システムの他の例を示す槻念図であり、従来技術のインタネット放送におけるフォーマット変換機能を用いて、収録拠点に設置された複数のビデオカメラの映像をブロードバンドネットワークを介して視聴者に対して映像を配信させるシステムを示す槻念図である。
図４において、４０１〜４０３はビデオカメラ、４０４〜４０６は分配装置、４０７〜４１５はフォーマット変換装置である。
図４に示すシステムでは、ビデオカメラ４０１の映像は分配装置４０４に入力され、分配装置４０４は、当該入力された映像を、フォーマット変換装置（４０７〜４０９）に分配し、フォーマット変換装置（４０７〜４０９）は、当該分配された映像の映像のフォーマットを変換して視聴者に配信する。
ビデオカメラ４０２の映像は分配装置４０５に入力され、分配装置４０５は、当該入力された映像を、フォーマット変換装置（４１０〜４１２）に分配し、フォーマット変換装置（４１０〜４１２）は、当該分配された映像の映像のフォーマットを変換して視聴者に配信する。
ビデオカメラ４０３の映像は分配装置４０６に入力され、分配装置４０６は、当該入力された映像を、フォーマット変換装置（４１３〜４１５）に分配し、フォーマット変換装置（４１３〜４１５）は、当該分配された映像の映像のフォーマットを変換して視聴者に配信する。
【０００６】
【発明が解決しようとする課題】
しかしながら、前述した図２に示すシステムでは、下記の問題点があった。
（１）収録拠点において使用される中継車の１台当たりの価格は、ＮＴＳＣ標準仕様で５億円ほど、ＨＤＴＶ仕様で１０億円ほどかかり、また、ＮＴＳＣ標準仕様の中継車の１日のレンタル料は５百万円ほど要し、中継車を使用してＴＶ放送させる場合、番組制作費が高価になってしまう場合が生じ、また、番組制作費が安価な場合には、中継車を利用したＴＶ番組を放送することができない場合が生じる。
（２）中継車は大型車両が用いられており、中継車を確実に駐車しておく充分なスペースを確保させる必要があり、中継車を持ち込める収録拠点が限定されてしまうため、ＴＶ番組の内容が制限されてしまう場合が生じる。
（３）収録拠点に設置された複数のビデオカメラから中継車まで映像を伝送させるためのケーブルを配線させる必要があり、ＴＶ中継ごとに作業しなくてはならなく不便を強いられる場合が生じる。
【０００７】
また、図３に示すシステムでは、下記の問題点があった。
（１）従来技術のシステム構成では、収録拠点にスイッチャ、操作卓、映像蓄積装置、モニタ、分配装置、視聴者に向けた配信に用いられるブロードバンドネットワーク、ｘＤＳＬ回線、電話回線、ＩＳＤＮ回線、携帯電話、ＰＨＳ等の伝送速度に応じたフォーマット変換装置を設置させる充分なスペース、並びに当該装置の動作に必要となる電源の容量を充分確保させる必要があり、収録拠点が限定されるため、番組内容が制限されてしまう場合が生じる。
（２）映像の切り換え作業は収録地点において番組制作関係者が行うため、番組制作関係者が収録地点まで移動する必要があり不便を強いられていた。
さらに、図４に示すシステムでは、下記の問題点があった。
（１）従来技術のシステム構成では、収録拠点に映像蓄積装置、モニタ、分配装置、視聴者に向けた配信に用いられるブロードバンドネットワーク、ｘＤＳＬ回線、電話回線、ＩＳＤＮ回線、携帯電話、ＰＨＳ等の伝送速度に応じたフォーマット変換装置を設置させる充分なスペース、並びに当該装置の動作に必要となる電源の容量を充分確保させる必要があり、収録拠点が限定されてしまい、番組内容が制限されてしまう場合が生じる。
（２）従来技術のシステム構成では、映像切り換え手段を有しておらず、収録拠点に設置された複数のビデオカメラの映像、および映像蓄積装置の映像を切り換えて視聴者に配信させることが出来ないため、番組内容が制限されてしまう場合が生じる。
【０００８】
本発明は、前記従来技術の問題点を解決するためになされたものであり、本発明の目的は、収録地点において中継車を使用すること、収録拠点にスイッチャ、操作卓、映像蓄積装置、モニタ、分配装置、ファーマット変換装置などの装置を設置する必要のない映像配信方法およびシステムを提供することにある。
本発明の前記並びにその他の目的と新規な特徴は、本明細書の記述及び添付図面によって明らかにする。
【０００９】
【課題を解決するための手段】
本願において開示される発明のうち、代表的なものの概要を簡単に説明すれば、下記の通りである。
即ち、本発明は、収録拠点に設置された複数のビデオカメラの映像信号と、中継地点に設置された映像蓄積装置の映像信号とを任意に切り換えて視聴者に配信する映像配信方法であって、収録拠点において、前記複数のビデオカメラの映像信号を中継回線用の通信規格に応じた信号に変換し、前記中継回線用の通信規格に応じた信号を、中継回線を介して中継地点に転送し、前記中継地点おいて、前記中継回線を介して転送されてきた前記中継回線用の通信規格に応じた信号を、任意のビデオカメラの映像信号に逆変換し、前記逆変換された前記複数のビデオカメラの映像信号と、前記映像蓄積装置に蓄積された映像信号とを、映像切り換え用のスイッチャにより任意に切り換え、前記スイッチャによって切り換えられた映像信号のフォーマットを変換し、前記フォーマットが変換された映像信号を視聴者に対して配信することにより、前記収録拠点の複数のビデオカメラの映像と前記中継地点に設置された映像蓄積装置の映像とを任意に切り換えて視聴者に対して配信する。
【００１０】
また、本発明は、収録拠点に設置された複数のビデオカメラの映像信号と、中継地点に設置された映像蓄積装置の映像信号とを任意に切り換えて視聴者に配信する映像配信システムであって、前記収録拠点に設置され、前記複数のビデオカメラの映像信号を中継回線用の通信規格に応じた信号に変換する第１の手段と、前記中継回線用の信号規格に応じた信号を前記中継地点に転送する中継回線と、前記中継地点に設置され、前記中継回線を介して転送されてきた前記中継回線用の信号規格に応じた信号を、任意のビデオカメラの映像信号に逆変換する第２の手段と、前記逆変換された前記ビデオカメラの映像信号と、前記映像蓄積装置の映像信号とを切り換える映像切り換え用のスイッチャと、前記スイッチャによって切り換えられた映像信号のフォーマットを変換する第３の手段と、前記フォーマットが変換された映像信号を視聴者に対して配信させる第４の手段と備える。
【００１１】
また、本発明では、前記中継回線として光ファイバを使用し、前記収録拠点において、前記ビデオカメラの映像信号を光信号に変換し、前記中継地点において、前記光ファイバを介して転送されてきた光信号を、任意のビデオカメラの映像信号に逆変換する。
また、本発明では、前記中継回線として光ファイバを使用し、前記収録拠点において、前記ビデオカメラの映像信号を光信号に変換した後、当該光信号に変換された映像信号を前記光ファイバに多重化し、前記中継地点において、前記光ファイバを介して転送されてきた多重化された光信号を分割した後、分割した光信号を、任意のビデオカメラの映像信号に逆変換する。
また、本発明では、前記中継回線用の通信規格として、ＡＴＭプロトコル、イーサネットプロトコル、ファイバチャネルプロトコル、あるいは、インタネットプロトコルを用いる。
また、本発明では、前記映像信号のフォーマットとして、ＭＰＥＧ２圧縮方法、ＭＰＥＧ１圧縮方法、ＭＰＥＧ４圧縮方法、Ｗｉｎｄｏｗｓ　Ｍｅｄｉａ圧縮方法、Ｒｅａｌ　Ｖｉｄｅｏ圧縮方法、あるいは、Ｑｕｉｃｋ　Ｔｉｍｅ圧縮方法を使用する。
【００１２】
【発明の実施の形態】
以下、図面を参照して本発明の実施の形態を詳細に説明する。
なお、実施の形態を説明するための全図において、同一機能を有するものは同一符号を付け、その繰り返しの説明は省略する。
図１は、本発明の実施の形態の映像配信システムを示す概念図である。
本実施の形態の映像配信システムは、収録拠点に設置された複数のビデオカメラから出力される映像信号（以下、単に、映像という。）を、通信回線を介して中継地点に転送し、中継地点において、通信回線を介して中継地点に転送されてきた複数のビデオカメラの映像と、中継地点に設置された映像蓄積装置の映像とを任意に切り換えて視聴者に配信する。
図１において、１０１は収録拠点、１０２〜１０４はビデオカメラ、１０５〜１０７，１１２〜１１４は信号規格変換装置、１０８〜１１０は通信回線、１１１は中継地点、１１５は映像蓄積装置、１１６はスイッチャ、１１７〜１２２は入力ポート、１２３〜１２５は出力ポート、１２６は操作卓、１２７〜１３２はモニタ、１３３，１３４は分配装置、１３５は番組送出スイッチャ、１３６〜１４１はフォーマット変換装置である。
【００１３】
なお、本発明に使用可能な収録拠点１０１と、中継地点１１１との間の映像伝送用の通信回線（１０８〜１１０）としては、例えば、光ファイバネットワーク、ＷＤＭネットワーク、ＡＴＭネットワーク、イーサネットワーク、ファイバチャネルネットワーク、ＩＰネットワーク等が使用可能である。
また、中継地点１１１にて使用可能なフォーマット変換装置（１３６〜１４１）としては、例えば、ＭＰＥＧ２圧縮装置、ＭＰＥＧ１圧縮装置、ＭＰＥＧ４圧縮装置、ＷｉｎｄｏｗｓＭｅｄｉａ圧縮装置、Ｒｅａｌ　Ｖｉｄｅｏ圧縮装置、Ｑｕｉｃｋ　Ｔｉｍｅ圧縮装置等が使用可能である。
さらに、フォーマット変換装置（１３６〜１４１）において、フォーマット変換された映像の配信用の回線としては、例えば、ブロードバンドネットワーク、ｘＤＳＬ回線、電話回線、ＩＳＤＮ回線、携帯電話回線、ＰＨＳ回線等、ＴＶ放送用には地上波放送、衛星放送、ＣＡＴＶなどが使用可能である。
【００１４】
本実施の形態では、収録拠点１０１に設置されたビデオカメラ（１０２〜１０４）の映像は、収録拠点１０１の信号規格変換装置（１０５〜１０７）において、通信回線用の通信規格に応じた信号に変換された後、通信回線（１０８〜１１０）を介して中継地点１１１の信号規格変換装置（１１２〜１１４）に転送される。
信号規格変換装置（１１２〜１１４）に転送されてきた通信回線用の通信規格に応じた信号は、信号規格変換装置（１１２〜１１４）において、任意のビデオカメラ（１０２〜１０４）の映像（例えば、アナログ信号の映像、デジタル信号の映像など）に逆変換された後、スイッチャ１１６の入力ポート（１１７〜１１９）からスイッチャ１１６に入力される。
中継地点１１１に設置された映像蓄積装置１１５から出力される映像は、スイッチャ１１６の入力ポート（１２０〜１２２）からスイッチャ１１６に入力される。
スイッチャ１１６の入力ポート（１１７〜１２２）に入力された映像は、モニタ（１２７〜１３２）で確認されながら操作卓１２６によって切り換えられ、スイッチャ１１６の出力ポート（１２３〜１２５）から出力される。
【００１５】
スイッチャ１１６の出力ポート１２３から出力される映像は、分配装置１３３に入力され、分配装置１３３において、フォーマット装置（１３６〜１３８）、および映像蓄積装置１１５に分配される。
分配装置１３３から映像蓄積装置１１５に分配された映像は、映像蓄積装置１１５に蓄積される。
フォーマット変換装置（１３６〜１３８）に分配された映像は、フォーマット変換装置（１３６〜１３８）において映像のフォーマットが変換された後、視聴者に配信される。
スイッチャ１１６の出力ポート１２４から出力される映像は、分配装置１３４に入力され、分配装置１３４において、フォーマット装置（１３９〜１４１）、および映像蓄積装置１１５に分配される。
分配装置１３４から映像蓄積装置１１５に分配された映像は映像蓄積装置１１５に蓄積される。
フォーマット変換装置（１３９〜１４１）に分配された映像は、フォーマット変換装置（１３９〜１４１）において映像のフォーマットが変換され後、視聴者に配信される。
スイッチャ１１６の出力ポート１２５から出力される映像は、番組送出用スイッチャ１３５に入力され、番組送出用スイッチャ１３５に入力された映像は、送信所に送信されて視聴者に配信される。
なお、番組送出用スイッチャ１３５に入力された映像は、映像蓄積装置１１５に分配され、映像蓄積装置１１５に蓄積される。
なお、前述の説明では、スイッチャ１１６を１個用いた場合について説明したが、複数のスイッチャおよび操作卓を用いて、収録拠点から転送されてくる複数の映像と、中継地点に設置された映像蓄積装置の映像とを任意に切り換えても良い。
【００１６】
以上説明したように、本実施の形態によれば、収録拠点１０１に設置された複数のビデオカメラ（１０２〜１０４）の映像を、中継回線（１０８〜１１０）を介して中継地点１１１に転送させ、中継地点１１１において、通信回線（１０８〜１１０）を介して中継地点に転送されてきた複数のビデオカメラ（１０２〜１０４）の映像と、中継地点１１１に設置された映像蓄積装置１１５の映像とを任意に切り換えることができる。
そのため、本実施の形態では、収録地点１０１において中継車を使用することなく、かつ、収録拠点１０１にスイッチャ１１６、操作卓１２６、映像蓄積装置１１５、モニタ（１２７〜１３２）、分配装置（１３３，１３４）、ファーマット変換装置（１３６〜１４１）などの装置を設置させることなく、収録拠点１０１に設置された複数のビデオカメラ（１０２〜１０４）の映像と、中継地点１１１に設置された映像蓄積装置１１５の映像を任意に切り換えて視聴者に配信させることが可能となる。
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００１７】
【発明の効果】
本願において開示される発明のうち代表的なものによって得られる効果を簡単に説明すれば、下記の通りである。
本発明によれば、収録地点において中継車を使用することなく、かつ、収録拠点にスイッチャ、操作卓、映像蓄積装置、モニタ、分配装置、ファーマット変換装置などの装置を設置することなく、収録拠点に設置された複数のビデオカメラの映像と、中継地点に設置された映像蓄積装置の映像を任意に切り換えて視聴者に配信させることが可能となる。
【図面の簡単な説明】
【図１】本発明の実施の形態の映像配信システムを示す概念図である。
【図２】従来の映像配信システムの一例を示す槻念図である。
【図３】従来の映像配信システムの他の例を示す槻念図である。
【図４】従来の映像配信システムの他の例を示す槻念図である。
【符号の説明】
１０１，２０１…収録拠点、１０２〜１０４，２０２〜２０３，３０１〜３０３，４０１〜４０３…ビデオカメラ、１０５〜１０７，１１２〜１１４…信号規格変換装置、１０８〜１１０…通信回線、１１１，２０７…中継地点、１１５，２１２，３０４…映像蓄積装置、１１６，３０５…スイッチャ、１１７〜１２２…入力ポート、１２３〜１２５…出力ポート、１２６，３１１…操作卓、１２７〜１３２，３０６〜３０９…モニタ、１３３，１３４，３１０，４０４〜４０６…分配装置、１３５…番組送出スイッチャ、１３６〜１４１，３１２〜３１４，４０７〜４１５…フォーマット変換装置、２０５…中継車、２０６，２０８…ＦＰＵ（Ｆｉｅｌｄ　Ｐｉｃｋ　Ｕｐ）装置、２１０…分配スイッチャ、２１１…スタジオ、２１３…マスタスイッチャ、２１４…番組送出スイッチャ、２１５…送信所、２１６…放送用装置、２１７…海外支局、２１８…衛星基地局。
【図１】
2004023119.tif 000003
【図２】
2004023119.tif 000004
【図３】
2004023119.tif 000005
【図４】
2004023119.tif 000006
【手続補正書】
【提出日】平成14年6月24日(2002.6.24)
【手続補正１】
【補正対象書類名】明細書
【補正対象項目名】請求項５
【補正方法】変更
【補正の内容】
【請求項５】
前記映像信号のフォーマットとして、ＭＰＥＧ２圧縮方法、ＭＰＥＧ１圧縮方法、ＭＰＥＧ４圧縮方法、Ｗｉｎｄｏｗｓ　Ｍｅｄｉａ圧縮方法、Ｒｅａｌ　Ｖｉｄｅｏ圧縮方法、あるいは、Ｑｕｉｃｋ　Ｔｉｍｅ圧縮方法を使用することを特徴とする請求項１ないし請求項４のいずれか１項に記載の映像配信方法。